(57)【要約】【課題】データ消去に用いられる磁石が他の装置構成に与える影響を低減し、短時間に磁気記録媒体のデータ消去および物理的破損を行う。【解決手段】磁気記録処理装置１０は、回転保持機構１０９と、磁石部１１１と、破損装置と、を有している。回転保持機構１０９は、磁気記録媒体１２１を回転可能に保持する。磁石部１１１は、回転保持機構１０９に保持されている磁気記録媒体１２１の縁部から磁気記録媒体１２１の回転中心に向けて延びており、磁気記録媒体１２１のデータを消去する。破損装置は、磁石部から離れた位置に設けられ、磁気記録媒体１２１を物理的に破損させる。【選択図】図２
2010140539.tif 000002
【特許請求の範囲】
【請求項１】
磁気記録媒体を回転可能に保持する回転保持機構と、
前記回転保持機構に保持されている前記磁気記録媒体の縁部から前記磁気記録媒体の回転中心に向けて延び、前記磁気記録媒体のデータを消去する磁石部と、
前記磁石部から離れた位置に設けられ、前記磁気記録媒体を物理的に破損させる破損装置と、を有する、磁気記録媒体処理装置。
【請求項２】
前記破損装置は、前記磁気記録媒体に切り込みを入れつつ、切り込み部を溶融させる装置である、請求項１に記載の磁気記録媒体処理装置。
【請求項３】
前記破損装置は、超音波振動するカッターを備えた超音波カッターである、請求項２に記載の磁気記録媒体処理装置。
【請求項４】
前記回転保持機構の回転および前記破損装置の破損動作を制御する制御部を備え、
前記制御部は、予め設定された回転角度だけ前記磁気記録媒体を回転させた後、前記破損装置によって前記磁気記録媒体を破損させる動作を行わせる、請求項１から３のいずれか１項に記載の磁気記録媒体処理装置。
【請求項５】
前記制御部は、前記動作を少なくとも４回行わせる、請求項４に記載の磁気記録媒体処理装置。
【請求項６】
前記制御部は、前記破損装置によって破損された部分が前記磁石部に到達しないように、前記磁気記録媒体の回転角度を制御する、請求項４または５に記載の磁気記録媒体処理装置。
【請求項７】
前記磁気記録媒体を前記磁石部が設けられた位置まで搬送する搬送機構をさらに有している、請求項１から６のいずれか１項に記載の磁気記録媒体処理装置。
【請求項８】
前記搬送機構は、前記磁石部よりも前記磁気記録媒体の回転方向の上流側、かつ前記破損装置よりも前記回転方向の下流側に配置されている、請求項７に記載の磁気記録媒体処理装置。
【請求項９】
前記磁石部は互いに異なる磁極を有する対向する２つの面を備え、該２つの面が前記回転保持機構に保持されている前記磁気記録媒体の前記縁部から前記磁気記録媒体の前記回転中心に向けて延びている、請求項１から８のいずれか１項に記載の磁気記録媒体処理装置。
【発明の詳細な説明】
【技術分野】
【０００１】
本発明は、磁気記録媒体の記録を消去し、磁気記録媒体を破損させる磁気記録媒体処理装置に関する。
【背景技術】
【０００２】
磁気テープのような磁気記録媒体を廃棄する際、情報漏洩防止の観点から、磁気記録媒体に記録された情報を完全に消去し、磁気記録媒体を読み込み不能にすることが強く求められる。そのため、磁気記録媒体を廃棄する際には、強力な磁場によって磁気記録媒体の記録を消去したり、磁気記録媒体を物理的に破壊したりしている。
【０００３】
特許文献１では、磁気テープを廃棄する際に、磁気テープを物理的に切断することが記載されている。特許文献１では、磁気テープのリールの巻心に渦巻状に巻かれている磁気テープを、押し刃を用いて、最外周部分から巻心に向けて切断する。
【０００４】
特許文献２では、磁気ディスクに記録されたデータを消去するデータ消去装置が開示されている。特許文献２に記載のデータ消去装置は、永久磁石からなる磁場発生手段を有している。磁場発生手段である永久磁石は、磁気記録メディアを挟みこむように配置されている。磁場発生手段からの磁場によって、磁気ディスクの記録は消去される。
【０００５】
特許文献３では、磁場または電磁場によるデータ消去と、データ記録媒体の物理的な破壊と、を行う装置が記載されている。特許文献３に記載のデータ記録媒体処理装置は、強度の磁界を発生させるコイルが巻かれた収容部と、データ記録媒体を物理的に破壊する破壊ピンと、を有している。データ記録媒体処理装置は、データ記録媒体を収容部に収容した状態で、データ記録媒体のデータを消去し、破壊ピンによってデータ記録媒体を突き刺す。
【特許文献１】特開２００６−１５９３２８号公報
【特許文献２】特開２００１−３３１９０４号公報
【特許文献３】特開２００６−１４７０４４号公報
【発明の開示】
【発明が解決しようとする課題】
【０００６】
情報漏洩防止の観点から、磁気記録媒体を複数か所、物理的に破損させることが要求されることが多い。しかし、特許文献１に記載の方法では、磁気テープを複数個所で切断する場合、押し刃と磁気テープとの位置関係を手動で変える必要があり、作業に時間がかかり、作業者の負担も大きいという課題がある。
【０００７】
特許文献２に記載のデータ消去装置では、磁気ディスクのデータ消去が行われる領域は、永久磁石の磁力が届く範囲に限られる。したがって、磁気ディスク全体のデータを消去するためには、磁気ディスク全体を覆う永久磁石を用いるか、磁気ディスク全体が永久磁石に晒されるように、手動で磁気ディスクを移動させる必要がある。
【０００８】
磁気ディスク全体を覆う大型の永久磁石を用いる場合、永久磁石の磁力が、永久磁石のまわりに設置された他の装置構成に影響を与えるという課題がある。また、手動で磁気ディスクを移動させる場合には、作業に時間がかかるという課題がある。
【０００９】
特許文献３に記載のデータ記録媒体処理装置では、データ記録媒体を収容する収容部を有しており、この収容部には磁力を発生するためのコイル（つまり、電磁石）が巻かれている。この場合にも、データ記録媒体全体を覆う大型の電磁石によって、他の装置構成に影響を与えるという課題がある。
【００１０】
特許文献２，３に記載の磁石（電磁石を含む。）は強力な磁気を帯びるため、その付近に、金属を有する装置構成部を配置することは困難であった。
【００１１】
また、特許文献１および特許文献３に記載されたように、物理的に磁気記録媒体を破壊する場合には、破壊時に、磁気記録媒体の磁性粉が大量に飛散する。また、磁気記録媒体がケースを有している場合には、ケース破片も大量に飛散する。このような破片や磁性粉が装置に堆積した場合、装置が劣化することがある。特に、磁性粉は、磁気記録媒体のデータを消去するための磁石（電磁石を含む。）に吸着するため、磁石の劣化を早めてしまう。
【００１２】
本発明の目的は上記背景技術の課題の少なくとも１つを解決できる磁気記録媒体処理装置を提供することにある。その目的の一例は、データ消去に用いられる磁石が他の装置構成に与える影響を低減し、短時間で磁気記録媒体のデータ消去および物理的破損を行うことができる磁気記録媒体処理装置を提供することである。
【課題を解決するための手段】
【００１３】
上記課題の少なくとも１つを解決するため、本発明の磁気記録処理装置は、回転保持機構と、磁石部と、破損装置と、を有している。回転保持機構は、磁気記録媒体を回転可能に保持する。磁石部は、回転保持機構に保持されている磁気記録媒体の縁部から磁気記録媒体の回転中心に向けて延びており、磁気記録媒体のデータを消去する。破損装置は、磁石部から離れた位置に設けられ、磁気記録媒体を物理的に破損させる。
【発明の効果】
【００１４】
本発明によれば、データ消去に用いられる磁石が他の装置構成に与える影響を低減し、短時間で磁気記録媒体のデータ消去および物理的破損を行うことができる。
【発明を実施するための最良の形態】
【００１５】
以下、本発明の実施形態について図面を参照して説明する。本発明の磁気記録媒体処理装置は、磁気記録媒体の記録を消去し、磁気記録媒体を物理的に破損させる。磁気記録媒体としては、例えば磁気テープが挙げられる。
【００１６】
図１は本実施形態の磁気記録媒体処理装置の構成を示すブロック図である。また、図２は、磁気記録媒体処理装置の概略斜視図であり、図３は磁気記録媒体処理装置の概略上面図である。なお、図２では、各装置構成を収容する筐体１３０が、透視的に示されている。
【００１７】
本実施形態に係る磁気記録媒体処理装置１０は、磁気記録媒体１２１を物理的に破損させる破損装置と、磁気記録媒体１２１の磁気データを消去するデータ消去装置と、磁気記録媒体１２１を回転可能に保持する回転保持機構１０９と、を有している。
【００１８】
データ消去装置としては、磁気記録媒体１２１の保磁力よりも大きな磁力を、磁気記録媒体１２１に印加する磁石部１１１を用いることができる。磁石部１１１は磁気記録媒体１２１の記録を消去することができれば、永久磁石であっても電磁石であっても良い。
【００１９】
破損装置は、磁気記録媒体１２１に切り込みを入れ、切り込み部を溶融させる装置であることが好ましい。そのような装置の好適な例として、本実施形態では、超音波カッター１０１を用いた。磁気記録媒体１２１の切り込み部を溶融させることで、磁気記録媒体１２１の磁性粉の発生が抑制される。また、磁気記録媒体１２１がケースを有している場合には、ケースの破片の飛散が抑制される。
【００２０】
超音波カッター１０１は、超音波振動するカッターを有している。この超音波振動により、カッターの切断能力は向上する。また、超音波カッター１０１の超音波振動による摩擦熱によって、磁気記録媒体１２１の切付け部は溶融する。超音波カッター１０１を用いると、切り込み部のみが溶融するため、ガスの発生が抑制されるという効果を有している。
【００２１】
磁気記録媒体処理装置１０は、超音波出力制御部１０２と、カッター移動機構１１２と、カッター位置センサ１０６と、をさらに有していることが好ましい。超音波出力制御部１０２は、超音波カッター１０１の超音波出力を制御する制御回路であり、超音波の出力制御やＯＮ／ＯＦＦの制御等を行う。
【００２２】
カッター移動機構１１２は、超音波カッター１０１を移動させるための機構である。カッター移動機構１１２によって超音波カッター１０１を移動させることで、磁気記録媒体１２１に切り込みを入れる。
【００２３】
超音波カッター１０１が初期位置にあることをカッター位置センサ１０６が検知した場合、超音波出力制御部１０２は超音波出力を停止する。これにより、超音波カッター１０１を使用しないときに、超音波カッター１０１が超音波振動することを防止することができる。
【００２４】
図４（ａ）〜（ｃ）では、超音波カッター１０１およびカッター移動機構１１２の一例が示されている。図４に示すカッター移動機構１１２は手動で動作するものである。カッター移動機構１１２は、レバー１２２を有している。レバー１２２を倒すと、超音波カッター１０１の刃部１２３が下方に飛び出す（図４（ｂ）参照。）。これにより、刃部１２３が磁気記録媒体１２１に接触可能となる。更にレバー１２２を倒すと、超音波カッター１０１は、支持部１２４の固定点１２５を中心に回転する（図４（ｃ）参照。）。これにより、刃部１２３が磁気記録媒体１２１の半径方向に移動する。このようにして、磁気記録媒体１２１に切り込みを入れることができる。
【００２５】
逆に、レバー１２２を上げると、超音波カッター１０１の刃部１２３が引っ込む。更にレバー１２２を上げると、超音波カッター１０１が初期位置（図４（ａ）に示された位置。）に戻る。
【００２６】
上述のように、図４に示す手動式のカッター移動機構は、作業者がレバーを下ろす力を利用して超音波カッター１０１を移動させる。もちろん、カッター移動機構１１２は、自動で動作するものであっても良い。
【００２７】
カッター位置センサ１０６は、超音波カッター１０１の位置を検出するセンサである。本実施形態では、カッター位置センサ１０６は、超音波カッター１０１が初期位置にあるかどうかを検出する。カッター位置センサ１０６は、マイクロスイッチ、フォトセンサ、フォトスイッチなどにより構成することができる。
【００２８】
回転保持機構１０９は、磁気記録媒体１２１を保持した状態で回転することで、磁気記録媒体１２１を回転させる。回転保持機構１０９は、回転制御部１１０によって、その回転が制御されている。回転保持機構１０９としては、磁気記録媒体の位置決め機能が付いたギヤモータ又はステッピングモータ等を用いることができる。
【００２９】
本実施形態では、回転保持機構１０９は、磁気記録媒体処理装置１０の内部から外部へ、または外部から内部へ移動可能に構成されている。これにより、磁気記録媒体１２１を、磁気記録媒体処理装置１０の内部に搬送したり、磁気記録媒体処理装置１０の内部から排出したりすることができる。回転保持機構１０９の搬送は、搬送機構１０７によって行われる。
【００３０】
本実施形態の搬送機構１０７は、回転保持機構１０９を搬送するものであるが、搬送機構１０７は磁気記録媒体１２１を直接搬送するものであってもよい。この場合、磁気記録媒体処理装置１０は、磁気記録媒体１２１を投入するための開口を有している。この開口から投入された磁気記録媒体１２１は、搬送機構１０７によって直接搬送され、回転保持機構１０９に保持される。
【００３１】
また、搬送機構１０７は搬送制御部１０８を有している。搬送制御部１０８は、磁気記録媒体１２１または回転保持機構１０９の搬送を制御する。
【００３２】
磁石部１１１は、回転保持機構１０９に保持されている磁気記録媒体１２１の縁部から磁気記録媒体１２１の回転中心に向けて延びている。具体的には、磁石部１１１は、略「Ｕ」の字形状をしており、磁気記録媒体１２１の一部を挟みこむように構成されている。なお、磁石部１１１の、回転保持機構１０９の回転方向Ｒの幅は狭いことが好ましい。
【００３３】
「Ｕ」の字形状の対向する２つの面は互いに異なる磁極を有している。この２つの面が、回転保持機構１０９に保持されている磁気記録媒体１２１の縁部から磁気記録媒体１２１の回転中心に向けて延びている。この２つの対向する面には、磁束密度の高い磁石（一例として約０．６Ｔ（テスラ）程度）が配置されている。
【００３４】
磁石部１１１に挟まれた部分の磁気記録媒体１２１のデータは、磁石部１１１の磁場によって消去される。本実施形態では、磁気記録媒体１２１の回転によって、磁気記録媒体１２１全体が磁石部１１１を通過するため、磁気記録媒体１２１の全データを消去することができる。磁気記録媒体１２１の回転は、自動で行われるため、作業者の負担は減り、短時間で作業が完了する。
【００３５】
上記のように、磁石部１１１を、磁気記録媒体１２１よりも小さくすることができるため、磁石部１１１の磁力が他の装置構成に影響を与えることが抑制される。特に、磁気記録媒体１２１の近傍であって磁石部１１１が設けられた位置から離れた位置に、超音波カッター１０１や搬送機構１０７などを設置することが可能になる。また、これにより、磁気記録媒体処理装置１０が小型化されるという効果もある。
【００３６】
本実施形態では、図３に示すように、超音波カッター１０１は、磁石部１１１から離れた位置に配置されている。これにより、磁気記録媒体１２１のデータを消去しつつ、磁気記録媒体１２１を破損させることができるため、作業が短時間で完了する。
【００３７】
また、回転保持機構１０９を搬送する搬送機構１０７も、磁石部１１１から離れた位置に配置されている。回転保持機構１０９に備えられている回転制御部１１０は、磁気記録媒体１２１を自動で位置決めする。これにより、磁気記録媒体１２１のデータ消去および切付けが容易になる。
【００３８】
磁気記録媒体処理装置１０は、媒体検知センサ１０４と、媒体位置センサ１０５と、動作スイッチ１１３と、動作モード表示部１１４と、データベース１１５と、メモリ部１１６と、ＣＰＵ１１７と、電源部１１８と、を有していることが好ましい。
【００３９】
媒体検知センサ１０４は、磁気記録媒体１２１が回転保持機構１０９に正常に保持されているかどうかを検知する。媒体検知センサ１０４としては、マイクロスイッチ、光センサ、光スイッチ、又はそれらの組み合わせなどを用いることができる。
【００４０】
媒体位置センサ１０５は、回転保持機構１０９で磁気記録媒体１２１を回転させる際に、その回転角度を測定するために用いられる。具体的には、回転保持機構１０９に、一定角度毎にフラグが配されている。そして、媒体位置センサ１０５は、磁気記録媒体処理装置１０内の静止した位置に設けられている。この媒体位置センサ１０５によって、フラグを検知することで、回転保持機構１０９の回転角度が測定される。なお、回転保持機構１０９に媒体位置センサ１０５配置して、静止した位置にフラグを配置しても良い。媒体位置センサ１０５としては、例えば、フォトセンサを用いることができる。
【００４１】
回転制御部１１０は、磁気記録媒体１２１が磁気記録媒体処理装置１０の内部に搬送された直後、または磁気記録媒体１２１に切り込みを入れた後に、回転保持機構１０９を一定角度回転させる。
【００４２】
動作スイッチ１１３は、磁気記録媒体処理装置１０の動作モードを選択するため、並びに各動作モードの動作を開始するために用いられる。なお、磁気記録媒体処理装置１０が取り得る動作モードの例としては、超音波出力モード、媒体搬送モード、媒体回転モード、異常時の割り込み処理モードなどがある。動作スイッチ１１３としては、例えば押しボタンを用いることができる。動作モード表示部１１４は、ＬＥＤや液晶ディスプレイ等からなり、現在の動作モードおよび動作結果を表示する。
【００４３】
ＣＰＵ１１７は、マイクロプロセッサ等から構成される中央処理装置である。ＣＰＵ１１７は、超音波出力制御部１０２、媒体検知センサ１０４、媒体位置センサ１０５、カッター位置センサ１０６、搬送制御部１０８、回転制御部１１０、動作スイッチ１１３、動作モード表示部１１４、メモリ部１１６等を、データベース１１５内の情報を基に制御する。メモリ部１１６は、ＣＰＵ１１７によって直接読み書き可能なＲＡＭやＲＯＭなどの半導体記憶装置であり、動作モードや各構成部からの情報等を一時的に格納する。
【００４４】
データベース１１５には、磁気記録媒体処理装置１０の動作モードの情報が関連付けされて格納されている。これらの情報に基づいて、磁気記録媒体１２１の記録を消去しつつ、磁気記録媒体１２１に切り込みを入れる。
【００４５】
データベース１１５に格納されている情報の例としては、超音波出力のＯＮ／ＯＦＦのタイミング、搬送機構の動作タイミングおよび搬送距離、回転保持機構の動作のタイミングおよび回転角度、異常発生時の割り込み処理等がある。ここで、異常とは、超音波カッターが過負荷状態になること、一定時間内に搬送機構の搬送が完了しないこと、回転保持機構１０９の回転中に、媒体位置センサ１０５が一定時間何も検知しないこと、などが挙げられる。これらの異常が発生した場合は、処理を中止し、動作モード表示部１１４にその旨を出力することが好ましい。
【００４６】
電源部１１８は、ＡＣ入力からＤＣへ変換するパワーサプライ等であり、電力が必要な各モジュールへ電力を供給する。
【００４７】
次に、図５のフローチャートを参照して、磁気記録媒体処理装置１０の動作を詳細に説明する。ます、磁気記録媒体１２１を回転保持機構１０９にセットする（ステップＡ１）。具体的には、磁気記録媒体処理装置１０の電源を入れた後、投入口１０３にある回転保持機構１０９に磁気記録媒体１２１をセットする。本実施形態では、投入口１０３は扉付きの出入り口であり、回転保持機構１０９が搬送されるとともに扉が開くように構成されている。
【００４８】
次に、磁気記録媒体１２１を磁気記録媒体処理装置１０の内部に搬送する（ステップＡ２）。具体的には、磁気記録媒体１２１が回転保持機構１０９にセットされたことを、媒体検知センサ１０４が検知すると、回転保持機構１０９を磁気記録媒体処理装置１０の内部へ向けて一定距離（一例として２００ｍｍ）移動させる。このようにして、磁気記録媒体１２１が、磁気記録媒体処理装置１０の内部に搬送される。このとき、磁気記録媒体１２１の一部が、磁石部１１１に挟みこまれた状態になる（図２および図３参照。）。磁気記録媒体１２１が磁石部１１１の間を通過すると、磁石部１１１の磁力によって、磁気記録媒体１２１のデータが消去される。
【００４９】
次に、動作スイッチ１１３により、所望の動作モードを選択後、処理をスタートさせると、データベース１１５に格納されている情報に基づいて、回転保持機構１０９が一定角度回転する（ステップＡ３）。このとき、媒体位置センサ１０５がフラグを一定回数検知することによって、磁気記録媒体１２１の回転角度が測定される。処理開始直後の磁気記録媒体１２１の回転角度は、一例としては２４０°である。
【００５０】
次に、カッター移動機構１１２を用いて超音波カッター１０１を移動（一例として１４０ｍｍ）させ、磁気記録媒体１２１に切り込みを入れる。（ステップＡ４）。このとき、磁気記録媒体１２１の縁部から中心部を結ぶ半径方向に沿って切り込みを入れることが好ましい。
【００５１】
磁気記録媒体１２１に切り込みを入れた後、カッター移動機構１１２を用いて、超音波カッター１０１を初期位置に戻すと、カッター位置センサ１０６がその旨を検知し、超音波カッター１０１の超音波出力が停止する。
【００５２】
磁気記録媒体１２１に切り込みを入れる回数が１回である場合、磁気記録媒体１２１を磁気記録媒体処理装置１０の外部へ搬送して、処理を終了する。なお、切り込みを入れる回数が１回である場合、磁気記録媒体１２１全体のデータを消去するため、ステップＡ３において磁気記録媒体１２１を３６０°以上回転させる。複数回切り込みを入れる場合には、継続して以下の処理を行う。
【００５３】
まず、回転保持機構１０９により、磁気記録媒体１２１を再び一定角度（一例として６０°）回転させる（ステップＡ３）。このとき、媒体位置センサ１０５がフラグを検知した回数によって、回転角度が測定される。
【００５４】
次に、超音波カッター１０１を作動させて、磁気記録媒体１２１に切り込みを入れる（ステップＡ４）。この後、磁気記録媒体１２１に切り込みを入れた回数をカウントし、当該回数が所定の値に達しているかどうか判断する（ステップＡ５）。
【００５５】
所定の回数切り込みを入れた場合には、磁気記録媒体１２１を磁気記録媒体処理装置１０の外部へ搬送して、処理を終了する。そうでなければ、再びステップＡ３およびステップＡ４を繰り返す。
【００５６】
本実施形態の磁気記録媒体処理装置は、ステップＡ２〜Ａ６までの処理を自動化することできるため、処理時間が低減し、作業者の負担も激減する。なお、磁気記録媒体１２１に切り込みを入れる力を大きくするために、磁気記録媒体に切り込みを入れる作業は手動で行ってもよい。この場合、磁気記録媒体処理装置１０は、切り込みを入れるタイミングを作業者に通知する。
【００５７】
上記の一連の処理において、磁気記録媒体１２１は少なくとも一回転するように制御される。これにより、磁石部１１１によって、磁気記録媒体１２１の全記録を消去することができる。
【００５８】
本構成によれば、データを消去しながら磁気記録媒体１２１に切り込みを入れることができるため、大量の磁気記録媒体の廃棄を行う際にも、短時間で容易に処理することができる。また、処理が完了するまで作業者が磁気記録媒体１２１に触れる必要がないため、作業者は安全に作業を行うことができる。
【００５９】
データが消去された磁気記録媒体１２１には切り込みが入れられているため、磁気記録媒体１２１のデータの読み込みは不能となっており、データの消去が完了した磁気記録媒体１２１かどうかを容易に判別することもできる。
【００６０】
次に、磁気記録媒体１２１への切り込みの入れ方の一例について説明する。図６は、磁気記録媒体１２１の切り込み部の一例を示している。
【００６１】
まず、回転保持機構１０９によって磁気記録媒体１２１を２４０°回転させた後、磁気記録媒体１２１に切り込みを入れる。その後、磁気記録媒体１２１を６０°回転させるごとに、磁気記録媒体１２１に切り込みを入れる。このようにして、合計４回、磁気記録媒体１２１に切り込みを入れる。この場合、磁気記録媒体１２１は合計４２０°回転するため、磁気記録媒体１２１のすべてのデータが消去される。
【００６２】
上述のように、磁気記録媒体１２１には、６０°間隔で４か所、切り込み部１３１が形成される。最初に形成された切り込み部１３１は、その後の磁気記録媒体１２１の回転とともに１８０°回転する。本実施形態では、図３に示すように、超音波カッター１０１の位置から磁石部１１１の位置までの回転方向Ｒの角度は、１８０°よりも大きい。したがって、磁気記録媒体１２１の切り込み部１３１は、磁石部１１１の位置に到達しない。このため、切り込み部１３１に生じるバリが、磁石部１１１に吸着することを抑制できる。
【００６３】
上記の例のように、超音波カッター１０１が磁気記録媒体１２１の切り込み部１３１が磁石部１１１に到達しないように、磁気記録媒体１２１の回転角度が制御されていることが好ましい。これにより、磁気記録媒体１２１に切り込みを入れた際に生じたバリが、磁石部１１１に付着することを抑制することができる。
【００６４】
また、搬送機構１０７は、磁石部１１１よりも磁気記録媒体１２１の回転方向Ｒの上流側、かつ超音波カッター１０１よりも回転方向Ｒの下流側に配置されることが好ましい。これにより、磁気記録媒体１２１と磁石部１１１との間の回転方向の角度が、大きくなる。この角度が大きいと、磁気記録媒体１２１の広い領域にわたって、切り込みを入れることができる。
【００６５】
超音波カッター１０１が磁気記録媒体１２１に切り込みを入れる箇所は、４か所以上であることが好ましい。つまり、予め設定された角度だけ磁気記録媒体１２１を回転させた後、超音波カッター１０１で磁気記録媒体１２１に切り込みを入れる動作を、４回以上行う。これは、市場の要求によると、切り込み部が３か所未満の場合では、情報漏洩防止の観点から不十分であると判断されることがあるためである。一般的には、切り込み部は最低２か所必要であるが、情報漏洩の防止が十分であれば、切り込み部は１か所であっても良い。
【００６６】
以上では、超音波カッター１０１によって、「磁気記録媒体に切り込みを入れる」と表現したが、超音波カッター１０１は磁気記録媒体１２１を切断しても良い。
【００６７】
また、磁気テープを処理する場合、超音波カッター１０１は、磁気テープのリールのハブ部に触れる所まで切り込みを入れ、ハブ部を完全に切断しなくても良い。この場合、磁気テープが分断されて、回転保持機構１０９から脱落することを防ぐことができる。
【００６８】
以上、本発明の望ましい実施形態について提示し、詳細に説明したが、本発明は上記実施形態に限定されるものではなく、要旨を逸脱しない限り、さまざまな変更及び修正が可能であることを理解されたい。
【図面の簡単な説明】
【００６９】
【図１】一実施形態に係る磁気記録媒体処理装置の構成を示すブロック図。
【図２】一実施形態に係る磁気記録媒体処理装置の概略斜視図。
【図３】一実施形態に係る磁気記録媒体処理装置の概略平面図。
【図４】（ａ）〜（ｃ）は、超音波カッターおよびカッター移動機構の一例を示す概略図。
【図５】磁気記録媒体処理装置の動作の一例を示すフローチャート。
【図６】磁気記録媒体の切り込み部の一例を示す平面図。
【符号の説明】
【００７０】
１０      磁気記録媒体処理装置
１０１    超音波カッター
１０２    超音波出力制御部
１０３    投入口
１０４    媒体検知センサ
１０５    媒体位置センサ
１０６    カッター位置センサ
１０７    搬送機構
１０８    搬送制御部
１０９    回転保持機構
１１０    回転制御部
１１１    磁石部
１１２    カッター移動機構
１１３    動作スイッチ
１１４    動作モード表示部
１１５    データベース
１１６    メモリ部
１１７    ＣＰＵ
１１８    電源
１２１    磁気記録媒体
１２２    レバー
１２３    刃部
１２４    支持部
１２５    固定点
１３０    筐体
１３１    切り込み部
【図１】
2010140539.tif 000003
【図２】
2010140539.tif 000004
【図３】
2010140539.tif 000005
【図４】
2010140539.tif 000006
【図５】
2010140539.tif 000007
【図６】
2010140539.tif 000008